(57)【特許請求の範囲】
【請求項１】
商品に付けられたバーコードによって、この商品の値引きをＰＯＳ端末が行う、ＰＯＳ端末によるタイムセール方式において、
前記バーコードは、商品を表す商品コードと、この商品の価格を表す価格コードとを含み、前記商品コードは時刻を表す時刻情報を含み、
前記ＰＯＳ端末は、
商品の値引き情報と、値引きを開始する開始時刻とを、各商品コードに対応してあらかじめ記憶しているテーブル部と、
時刻を計るタイマ部と、
前記バーコードを読み込んで、このバーコードから前記商品コードと前記価格コードとを取り出し、この商品コードに対応する前記開始時刻を前記テーブル部から読み出し、前記タイマ部の現在時刻が前記開始時刻以降であるとき、前記商品コードに対応する値引き情報を前記テーブル部から読み出し、この値引き情報を基にして、前記価格コードの示す価格を値引く制御手段とを備えることを特徴とするＰＯＳ端末によるタイムセール方式。
【請求項２】
前記バーコードがインストアコードであり、このインストアコードに含まれる商品コードの最後の数字が前記時刻情報であることを特徴とする請求項１に記載のＰＯＳ端末によるタイムセール方式。
【請求項３】
前記値引き情報は、商品の値引き額または値引きの割合で表されていることを特徴とする請求項１または２に記載のＰＯＳ端末によるタイムセール方式。
【発明の詳細な説明】
【０００１】
【発明の属する技術分野】
この発明は、ＰＯＳ端末によりタイムセールを行うタイムセール方式に関する。
【０００２】
【従来の技術】
スーパーマーケットなどでは、各種の商品が販売されている。これらの商品の中で、惣菜等の商品は、通常、タイムセールによって、この商品を売り切る方法が採られている。タイムセールは、調理後に一定時間が経過すると、商品を値引きして、商品を販売する方法である。
【０００３】
タイムセールを行うためには、担当者が売り場にある惣菜を調べて、商品の調理時刻を確認する。そして、一定時間が経過した惣菜に、値引きを表示する値引きシールを担当者が付けている。値引きシールには、商品がタイムセール用の品であることを示す表示と、値引き額の表示とがされている。
【０００４】
そして、値引きシールを付けられた商品がレジで精算されるとき、レジ担当者が、値引きシールを確認すると、値引きをするための操作をＰＯＳ端末に対して行う。これによって、商品が値引きされる。
【０００５】
このような値引きシールを使用して、タイムセールが行われる。
【０００６】
【発明が解決しようとする課題】
しかし、タイムセールを行う前記の方法には、次のような問題点がある。つまり、担当者が売り場にある惣菜を調べて、商品の調理時刻を確認し、惣菜に値引きシールを付ける必要がある。このために、値引きをする惣菜には、この惣菜のバーコードを表すシールと、値引きシールとの２枚のシールを必要とするという問題がある。また、値引きシールを付けるための商品かどうかを調べる必要もある。
【０００７】
さらに、値引きシールを商品に付けるための作業を担当者がする必要があり、かつ、値引きシールを付けられた商品がレジで精算されるとき、レジ担当者が値引きをするための操作をする必要がある。
【０００８】
この発明は、前記の課題を解決し、値引きシールを不要にして、商品のタイムセールを行うことを可能にする、ＰＯＳ端末によるタイムセール方式を提供することを目的とする。
【０００９】
【課題を解決するための手段】
前記課題を解決するために、請求項１に記載の発明は、商品に付けられたバーコードによって、この商品の値引きをＰＯＳ端末が行う、ＰＯＳ端末によるタイムセール方式において、前記バーコードは、商品を表す商品コードと、この商品の価格を表す価格コードとを含み、前記商品コードは時刻を表す時刻情報を含み、前記ＰＯＳ端末は、商品の値引き情報と、値引きを開始する開始時刻とを、各商品コードに対応してあらかじめ記憶しているテーブル部と、時刻を計るタイマ部と、前記バーコードを読み込んで、このバーコードから前記商品コードと前記価格コードとを取り出し、この商品コードに対応する前記開始時刻を前記テーブル部から読み出し、前記タイマ部の現在時刻が前記開始時刻以降であるとき、前記商品コードに対応する値引き情報を前記テーブル部から読み出し、この値引き情報を基にして、前記価格コードの示す価格を値引く制御手段とを備えることを特徴とする。
【００１０】
請求項２の発明は、請求項１に記載のＰＯＳ端末によるタイムセール方式において、前記バーコードがインストアコードであり、このインストアコードに含まれる商品コードの最後の数字が前記時刻情報であることを特徴とする。請求項３の発明は、請求項１または２に記載のＰＯＳ端末によるタイムセール方式において、前記値引き情報は、商品の値引き額または値引きの割合で表されていることを特徴とする。
【００１１】
【発明の実施の形態】
つぎに、この発明の実施の形態について、図面を参照して詳しく説明する。この実施の形態では、タイムセールの対象となる商品として、スーパーマーケットで調理および販売される惣菜を例にして説明する。
【００１２】
この実施の形態のＰＯＳ端末によるタイムセール方式では、図１に示されるように、バーコード１０が用いられる。バーコード１０は、バーコドラベラ１で印刷されて、タイムセールの対象である惣菜Ａに付けられる。バーコドラベラ１は、１３桁の数字を表すバーコード１０を作製する。
【００１３】
この実施の形態で用いられるバーコード１０は、規格で統一されたＪＡＮ（Ｊａｐａｎｅｓｅ  Ａｒｔｉｃｌｅ  Ｎｕｍｂｅｒｉｎｇ）コードと異なり、スーパーマーケット独自のインストアコードである。インストアコードは、図２に示すように、バーコード１０によって示される１３桁の数字で構成される。最初の２桁の数字「０２」は、バーコード１０がインストアコードであることを示すフラグ１１である。
【００１４】
次の５桁の数字「ＸＸＸＸＸ」は商品コード１２である。商品コード１２は、惣菜Ａの種類を表すと共に、この惣菜Ａの調理時刻を表している。つまり、５桁の数字「ＸＸＸＸＸ」の中に、調理時刻を表す情報が含まれている。この実施の形態では、次のようにしている。５桁の数字「ＸＸＸＸＸ」の中で、最初の４桁の数字が惣菜Ａを表すコードを示し、最後の１桁の数字が調理時刻を表している。
【００１５】
たとえば、惣菜Ａを表すコードを「１２３４」とし、時刻を表す情報を数字「１」、「２」、「３」、「４」とする。そして、時刻を表す数字「１」が開店前に調理されたことを表し、数字「２」が午前中に調理されたことを表す。また、時刻を表す数字「３」が午後に調理されたことを表し、数字「４」が夕方に調理されたことを表す。
【００１６】
これによって、商品コード１２が「１２３４１」である場合、コード「１２３４」の惣菜Ａが開店前に調理されたことを表し、商品コード１２が「１２３４２」である場合、コード「１２３４」の惣菜Ａが午前中に調理されたことを表す。商品コード１２が「１２３４３」である場合、コード「１２３４」の惣菜Ａが午後に調理されたことを表し、商品コード１２が「１２３４４」である場合、コード「１２３４」の惣菜Ａが夕方に調理されたことを表す。
【００１７】
このように、この実施の形態では、惣菜Ａの調理時刻を表す情報が商品コード１２に含まれている。そして、この実施の形態では、調理時間を４つに設定しているので、１つの惣菜Ａに対して、４つの商品コードがある。
【００１８】
商品コード１２の次にある５桁の数字「ＹＹＹＹＹ」は惣菜Ａの価格１３を表す。価格１３の次にある１桁の数字「Ｃ」はチェックビット１４である。チェックビット１４は、バーコード１０の表す数字にエラーが発生しているかどうかをチェックするためのものである。
【００１９】
ＰＯＳ端末２は、バーコード１０を読み取って値下げ処理をする。ＰＯＳ端末２は、図３に示されるように、スキャナ２１、入力部２２、時計部２３、表示部２４、印字部２５、処理部２６および記憶部２７を備えている。
【００２０】
スキャナ２１は、レジ担当者によって操作される。スキャナ２１は、商品に付けられているバーコードを読み取り、読み取ったバーコードのデータを処理部２６に送る。入力部２２は、レジ担当者によって操作される。入力部２２の操作によって、例えば、レジでの精算時に、買い上げられた商品のバーコードをすべて読み取ったことが、レジ担当者によって入力される。入力部２２は、操作結果を処理部２６に送る。
【００２１】
時計部２３は、現在の時刻を計る時計である。時計部２３は、現在の時刻を計ると、現在時刻を処理部２６に送る。
【００２２】
表示部２４は、処理部２６の制御によって、例えば、スキャナ２１の操作結果を表示する。印字部２５は、売り上げ処理によって得られた、各商品の売り上げ等を表示するレシートを印刷して出力する。
【００２３】
記憶部２７は、ＰＯＳ端末２の全般的な動作手順を記憶している。これに加えて、記憶部２７は、図４に示すような、インストアコード用の商品テーブル２７Ａを記憶している。商品テーブル２７Ａは、「商品コード」、「商品名」、「開始時刻」および「値引き額」のデータをあらかじめ記憶している。「商品名」の領域には、商品コードに対応する商品の名前が記憶されている。「開始時刻」の領域には、商品がタイムセール用のものであるとき、タイムセールの開始時間が記憶されている。「開始時刻」は各商品コードに応じて設定されたものである。「値引き額」の領域には、タイムセールの際に値引きをする金額が記憶されている。
【００２４】
スーパーマーケットでは、開店前に調理された惣菜を、例えば、１２時から５０円引きで販売し、午前中に調理された惣菜を、３時から５０円引きで販売するものとする。また、先に述べたバーコード１０によって示される商品のコード「１２３４」が、例えば、天丼を表すものとする。
【００２５】
このような状態の場合、開店前に調理された惣菜Ａである天丼の商品コード１２は、商品を表すコード「１２３４」とコード「１」との組み合わせとなる。つまり、開店前に調理された惣菜Ａの商品コード１２は「１２３４１」となり、商品テーブル２７Ａの「商品コード」の領域には、この「１２３４１」が記憶され、「商品名」の領域には、「天丼」が記憶される。さらに、商品テーブル２７Ａの「開始時刻」の領域には、惣菜Ａが開店前に調理されているので、タイムセール開始の時刻「１２：００」が記憶され、「値引き額」の領域には、５０円引きを表す「５０」が記憶される。
【００２６】
同じようにして、惣菜Ａが午前中に調理された場合、「商品コード」の領域にデータ「１２３４２」が記憶され、「商品」の領域に「天丼」が記憶される。「開始時刻」の領域に時間「１５：００」が記憶され、「値引き額」の領域に金額「５０」が記憶される。惣菜Ａが午後に調理された場合、「商品コード」の領域にデータ「１２３４３」が記憶され、「商品」の領域に「天丼」が記憶される。この場合には、午後に調理された惣菜Ａがタイムセールの対象外であるので、「開始時刻」と「値引き額」との領域には、データが記憶されていない。惣菜Ａが夕方に調理された場合、「商品コード」の領域にデータ「１２３４４」が記憶され、「商品」の領域に「天丼」が記憶される。この場合には、夕方に調理された惣菜Ａがタイムセールの対象外であるので、「開始時刻」と「値引き額」との領域には、データが記憶されていない。
【００２７】
こうして、商品テーブル２７Ａには、惣菜Ａの調理時刻に応じた商品コードとそれに付属するデータとが、あらかじめ記憶されている。
【００２８】
処理部２６は、ＰＯＳ端末２についての各種の処理をする。処理部２６は、これらの処理の中で、売り上げ処理を次のように行う。つまり、処理部２６は、図５および図６に示すように、スキャナ２１から入力されたバーコード１０のデータを読み取り（ステップＳ１）、このデータから商品コード１２を取り出す（ステップＳ２）。ステップＳ２の後、処理部２６は、商品コード１２の最後の数字が「１」または「２」であるときに、タイムセールの対象となる商品と判断し、数字が「３」または「４」であるときに通常の価格で販売する商品と判断する（ステップＳ３）。
【００２９】
商品がタイムセール用であるとステップＳ３で判断すると、処理部２６は、記憶部２７の商品テーブル２７Ａから開始時刻を読み出し（ステップＳ４）、また、時計部２３から現在の時刻を読み出す（ステップＳ５）。この後、処理部２６は、２つの時刻を比較し、現在の時刻がタイムセールを行う時間かどうかを判断する（ステップＳ６）。
【００３０】
現在時刻がタイムセールを行う時間とステップＳ６で判断すると、処理部２６は、記憶部２７の商品テーブル２７Ａから値引き額を読み出し、かつ、ステップＳ１で読み取ったバーコード１０から価格１３を取り出す。そして、処理部２６は、価格１３から値引き額を引いて、商品の価格を算出する（ステップＳ７）。処理部２６は、ステップＳ７で算出した価格を表示部２４に表示させると共に、値引き価格で惣菜Ａを売り上げる（ステップＳ８）。
【００３１】
ステップＳ３で、タイムセール用の商品ではないと判断したとき、または、ステップＳ６で、タイムセール用の商品ではあるが、タイムセールの時間ではないと判断したとき、処理部２６は、バーコード１０から取り出した価格１３で、惣菜Ａを売り上げる（ステップＳ９）。
【００３２】
ステップＳ８またはステップＳ９の後、精算終了を示す操作結果が入力部２２から入力されないと（ステップＳ１０）、処理部２６は、処理をステップＳ１に戻し、次に読み取られるバーコードに対して、ステップＳ１〜Ｓ９の処理を繰り返す。
【００３３】
ステップＳ１０で、精算終了を示す操作結果が入力部２２から入力されると、処理部２６は、印字部２５を制御して、惣菜Ａを含む商品の値段を印刷したレシートを発行する（ステップＳ１１）。
【００３４】
こうして、処理部２６は、タイムセールによる販売を含む、商品の売り上げ処理をする。
【００３５】
つぎに、この実施の形態の動作について述べる。スーパーマーケットの惣菜担当者は、惣菜Ａとして、例えば天丼を調理すると、バーコドラベラ１を操作して、天丼のバーコード１０を印刷する。このとき、現在時刻が開店前であるとき、惣菜担当者は、天丼を表すコード「１２３４」の後に、開店前の調理時刻を表すコード「１」を入力して、バーコード１０を印刷する。現在時刻が午前中であるとき、惣菜担当者は、調理時刻を表すコード「２」をバーコドラベラ１に入力して、バーコード１０を印刷する。また、惣菜担当者は、現在時刻が午後であるとき、調理時刻を表すコード「３」をバーコドラベラ１に入力し、現在時刻が夕方であるとき、調理時刻を表すコード「４」を入力する。
【００３６】
この後、お客が惣菜Ａを買うために、レジで精算するとき、レジ担当者は、ＰＯＳ端末２のスキャナ２１を操作して、惣菜Ａに付けられているバーコード１０を読み取る。この後、ＰＯＳ端末２は、ステップＳ１〜Ｓ１１の処理を行う。このとき、ＰＯＳ端末２は、バーコード１０の中の商品コード１２を取り出し、商品コード１２の最後の数字である、調理時刻を表すコードが「１」であり、現在の時刻が例えば午後１時であれば、商品テーブル２７Ａのデータを参照して、値引き額「５０」円を割り引いて、惣菜Ａである天丼を売り上げる。
【００３７】
こうして、この実施の形態によれば、タイムセールの際に使用される値引きシールを不要にして、見切り商品の値引きをすることを可能する。この結果、担当者が値引きシールを付けるための商品かどうかを調べる作業と、値引きシールを商品に付けるための作業とが不要になる。
【００３８】
また、この実施の形態によれば、タイムセールによる値引きを自動的に行うことを可能にする。この結果、商品をレジで精算するとき、レジ担当者が値引きをするための操作を不要にすることができる。
【００３９】
以上、この発明の実施の形態を詳述してきたが、具体的な構成はこの実施の形態に限られるものではなく、この発明の要旨を逸脱しない範囲の設計の変更等があっても、この発明に含まれる。
【００４０】
たとえば、値引き商品かどうかを判断するときに、処理部２６は、商品コードの最後の数字で判断するようにしたが、これ以外にも、商品コード１２の後に、値引き商品であることを示すフラグを立てるようにしてもよい。また、商品テーブル２７Ａの「開始時刻」や「値引き額」の領域にデータがあるかどうかで、処理部２６が値引き商品かどうかを判断してもよい。
【００４１】
また、この実施の形態では、商品テーブル２７Ａの「値引き額」の領域には、値引きをする商品の金額を記憶しているが、この金額の代わりに、値引きの割合を記憶してもよい。この場合には、処理部２６は、商品の価格に値引きの割合を掛ける演算をして、値引き後の商品の価格を算出する。
【００４２】
【発明の効果】
以上、説明したように、この発明によれば、値引きシールを不要にして、見切り商品などの値引きをすることが可能になる。この結果、担当者が値引きシールを付ける商品かどうかを調べる作業と、値引きシールを商品に付けるための作業とが不要になる。
【００４３】
また、この発明によれば、商品コードが時刻を含み、ＰＯＳ端末がこの商品コードに基づいて値引きをするので、この商品コードを含むバーコードを商品に付ければ、商品の値引きを自動的に行うことが可能になる。この結果、商品をレジで精算するとき、レジ担当者が値引きをするための操作を不要にすることができる。
【図面の簡単な説明】
【図１】この実施の形態による、ＰＯＳ端末によるタイムセール方式の全体的な構成を説明するための説明図である。
【図２】インストアコードを説明するための説明図である。
【図３】ＰＯＳ端末を示すブロック図である。
【図４】商品テーブルの一例を示す図である。
【図５】処理部の処理を示すフローチャートである。
【図６】処理部の処理を示すフローチャートである。
【符号の説明】
１  バーコドラベラ
２  ＰＯＳ端末
１０  バーコード
１１  フラグ
１２  商品コード
１３  価格
１４  チェックビット
２１  スキャナ
２２  入力部
２３  時計部
２４  表示部
２５  印字部
２６  処理部
２７  記憶部
２７Ａ  商品テーブル
Ａ  惣菜
【図１】
0003593613.tif 000002
【図２】
0003593613.tif 000003
【図３】
0003593613.tif 000004
【図４】
0003593613.tif 000005
【図５】
0003593613.tif 000006
【図６】
0003593613.tif 000007